(57)【要約】【課題】  操作部の筐体部分を指などでたたいた音を認識し、非健常者への画面表示の切替えを容易に可能とした画像形成装置を提供する。【解決手段】  例えば、この図では２値化信号Ｓ１が発生すると、Ｓ１によるパターン検知として時間ｔｍｉｎでハイレベルとなり時間ｔｍａｘでローレベルとなる波形Ｓ１Ｐが発生し、２値化信号Ｓ２をゲートする。図から解るとおり、波形Ｓ１Ｐにより２値化信号Ｓ２がゲートされてパターン検知結果としてＳ１ＰＧが出力される。このとき図示しないカウンタにより２値化信号Ｓ１を「１」としてカウントし、Ｓ１ＰＧを「２」としてカウントする。以下同様にしてカウントを「５」までカウントしていき、予め設定値を「５」と設定していた場合は、この時点で白黒画面表示に切り換えるように指示する。【選択図】  図８
2007081476.tif 000002
【特許請求の範囲】
【請求項１】
周囲の音を集音する集音手段と、該集音手段により入力された入力音を２値化信号に変換する２値化変換手段と、該２値化変換手段により変換された２値化信号が所定のパターンと合致するか否かを検知するパターン検知手段と、前記パターン検知手段を制御する制御手段と、を備え、
前記制御手段は、前記２値化信号のパターンが前記パターン検知手段により合致することを検知すると、操作手順を表示する表示部の表示色を白黒画面表示に切り換えることを特徴とする画像形成装置。
【請求項２】
前記パターン検知手段は、一定の時間間隔内に前記２値化信号が存在し、且つ当該２値化信号の数が所定数に合致したとき前記所定のパターンであると判断することを特徴とする請求項１に記載の画像形成装置。
【請求項３】
周囲の音を集音する集音手段と、該集音手段により入力された入力音を２値化信号に変換する２値化変換手段と、該２値化変換手段により変換された２値化信号が入力されると、所定の時間当該２値化信号を計数する計数手段と、該計数手段を制御する制御手段と、を備え、
前記制御手段は、前記計数手段により計数された２値化信号の数が所定数に達したことを検知すると、操作手順を表示する表示部の表示色を白黒画面表示に切り換えることを特徴とする画像形成装置。
【請求項４】
前記計数手段は、所定の時間前記２値化信号を計数することを許可するゲート信号を発生するゲート信号発生手段を備え、該ゲート信号発生手段により発生されたゲート信号と前記２値化信号との論理積の結果を計数することを特徴とする請求項３に記載の画像形成装置。
【請求項５】
前記２値化変換手段は、前記集音手段により入力された入力音をＡ／Ｄ変換するＡ／Ｄ変換手段と、該Ａ／Ｄ変換手段により変換されたデジタル入力音が所定のレベル以上であることを検知するレベル検知手段と、を備えたことを特徴とする請求項１乃至４の何れか一項に記載の画像形成装置。
【請求項６】
前記２値化変換手段は、前記集音手段により入力された入力音を特定の周波数により検波する検波手段を備えたことを特徴とする請求項１乃至４の何れか一項に記載の画像形成装置。
【発明の詳細な説明】
【技術分野】
【０００１】
本発明は、画像形成装置に関し、さらに詳しくは、視覚障害者、特に色覚障害者や弱視者の操作を補助するための操作部の画面表示方法に関するものである。
【背景技術】
【０００２】
画像形成装置を操作者が操作する場合、操作パネルから情報の入力を行いコピーやスキャナー動作を行う。健常者にとっては操作パネルの画面はカラー画面の方が見やすいが、色覚障害者や弱視者にとってはカラー画面よりも白黒画面の方が見やすいため、キー入力などにより画面表示を切り替える従来技術がある。
例えば特許文献１には、ＩＣカード、オペレータの指紋、タッチパネルの入力で特定されたＩＤにより、ハードディスクに格納されたオペレータ情報に従ってタッチパネルに表示される画像を、オペレータが高齢者の場合には画像の濃度を変更することでコントラストを高め、色覚障害者の場合には色を変更して表示される画像を識別可能とし、また弱視力者又は指の震えを有する者の場合には拡大文字表示で表示し、言語をオペレータに応じて変更すると共に、オペレータの身長に応じてタッチパネルの高さを調整する技術が開示されている。
また特許文献２には、健常者／非健常者切替用のスイッチにより、現在のモードが健常者モードか非健常者モードかを判別する技術について開示されている。即ち、健常者モードの場合には、健常者データファイルに記憶されているデフォルトの設定に基づいた操作機能を操作パネルにし、非健常者モードの場合には、非健常者データファイルに記憶されている設定（全盲モード、弱視モード、色盲モード、難聴モード、動作緩慢モード、または車椅子モードに対応する各種設定）に基づいた操作機能を操作パネルに切り替える技術が開示されている。
【特許文献１】特開２００３−３３７５０５公報
【特許文献２】特開２００３−３３５０３３公報
【発明の開示】
【発明が解決しようとする課題】
【０００３】
しかしながら、特許文献１、２に開示されている従来技術では、全盲者や弱視者の非健常者にとっては、特定の個所（ＩＣカード挿入口やスイッチなど）を探して入力しなければならず、健常者／非健常者の切り替えが容易に行うことができないという欠点があった。
本発明は、かかる課題に鑑み、操作部の筐体部分を指などでたたいた音を認識し、非健常者への画面表示の切替えを容易に可能とした画像形成装置を提供することを目的とする。
【課題を解決するための手段】
【０００４】
本発明はかかる課題を解決するために、請求項１は、周囲の音を集音する集音手段と、該集音手段により入力された入力音を２値化信号に変換する２値化変換手段と、該２値化変換手段により変換された２値化信号が所定のパターンと合致するか否かを検知するパターン検知手段と、前記パターン検知手段を制御する制御手段と、を備え、前記制御手段は、前記２値化信号のパターンが前記パターン検知手段により合致することを検知すると、操作手順を表示する表示部の表示色を白黒画面表示に切り換えることを特徴とする。
本発明は操作部にマイク等の集音手段を備え、その集音手段が捉えた入力音を２値化信号に変換する。その２値化信号はパターン検知手段に入力され、パターン検知手段では、予め設定したパターン、例えば２値化信号の時間間隔と信号数といったパターンと合致するかが検知される。そしてパターンが合致すると、操作部の画面表示を白黒画面表示に切り換えるものである。
請求項２は、前記パターン検知手段は、一定の時間間隔内に前記２値化信号が存在し、且つ当該２値化信号の数が所定数に合致したとき前記所定のパターンであると判断することを特徴とする。
本発明のパターン検知方法は、一定の時間間隔内に２値化信号が存在し、且つその信号の数が所定数に合致すれば、この信号は正しいパターンであると認識する。ここで一定の時間間隔はある程度時間幅を持たせておくことにより、手動による入力差をカバーすることができる。
【０００５】
請求項３は、周囲の音を集音する集音手段と、該集音手段により入力された入力音を２値化信号に変換する２値化変換手段と、該２値化変換手段により変換された２値化信号が入力されると、所定の時間当該２値化信号を計数する計数手段と、該計数手段を制御する制御手段と、を備え、前記制御手段は、前記計数手段により計数された２値化信号の数が所定数に達したことを検知すると、操作手順を表示する表示部の表示色を白黒画面表示に切り換えることを特徴とする。
本発明は入力音が入力されると、その時点から計数を開始し、所定の時間後計数を停止して計数値が所定数に達した場合、操作部の画面表示を白黒画面表示に切り換えるものである。
請求項４は、前記計数手段は、所定の時間前記２値化信号を計数することを許可するゲート信号を発生するゲート信号発生手段を備え、該ゲート信号発生手段により発生されたゲート信号と前記２値化信号との論理積の結果を計数することを特徴とする。
所定の時間内に所定の信号が存在するか否かを検知する最も簡単な方法は、所定の時間信号を許可するゲート信号とこのゲートを通過する信号の論理積をとることによって可能である。従って、論理積の出力信号を計数することにより、操作部の画面表示切り替えを行うか否かを判断することができる。
請求項５は、前記２値化変換手段は、前記集音手段により入力された入力音をＡ／Ｄ変換するＡ／Ｄ変換手段と、該Ａ／Ｄ変換手段により変換されたデジタル入力音が所定のレベル以上であることを検知するレベル検知手段と、を備えたことを特徴とする。
アナログ信号をデジタル信号に変換する最も簡易な方法は、Ａ／Ｄ変換回路を使用することである。このＡ／Ｄ変換回路はアナログ信号レベルに応じてレベル値が異なる信号を発生する。この信号を所定の閾値を設定して、その閾値を超えるか否かを検知してノイズと識別し、超えた信号を正規の入力音とするものである。
請求項６は、前記２値化変換手段は、前記集音手段により入力された入力音を特定の周波数により検波する検波手段を備えたことを特徴とする。
アナログ信号をデジタル信号に変換する他の方法として、入力音の周波数のみを検波する検波回路による方法がある。この方法は、特定の周波数に同調する検波回路を備えることにより、特定的に決まった入力音のみを２値化信号として取り出すものである。
【発明の効果】
【０００６】
請求項１の発明によれば、制御手段は、２値化変換手段により変換された２値化信号のパターンがパターン検知手段により合致することを検知すると、操作手順を表示する表示部の表示色を白黒画面表示に切り換えるので、正しい入力音と周辺のノイズを識別することができ、且つパターンを予め特定の操作者のみに知らせておくことにより、いたずらによる操作を防止することができる。
また請求項２では、パターン検知手段は、一定の時間間隔内に２値化変換手段により変換された２値化信号が存在し、且つ当該入力音の数が所定数に合致したとき所定のパターンと判断するので、正しい入力音と周辺のノイズを識別することができ、且つパターンを予め特定の操作者のみに知らせておくことにより、いたずらによる操作を防止することができる。
また請求項３では、制御手段は、計数手段により計数された２値化信号の数が所定数に達したことを検知すると、操作手順を表示する表示部の表示色を白黒画面表示に切り換えるので、簡単な回路構成である程度ノイズと信号を識別することができ、且つパターンの識別率を高めることができる。
また請求項４では、計数手段は、所定の時間前記２値化信号を計数することを許可するゲート信号を発生するゲート信号発生手段を備え、ゲート信号発生手段により発生されたゲート信号と２値化信号との論理積の結果を計数するので、簡単な回路構成によりある程度冗長性を備えたパターン検知を行なうことができる。
また請求項５では、２値化変換手段は、集音手段により入力された入力音をＡ／Ｄ変換するＡ／Ｄ変換手段と、Ａ／Ｄ変換手段により変換されたデジタル入力音が所定のレベル以上であることを検知するレベル検知手段と、を備えたので、入力音の音量に応じてデジタル信号のレベルが変化するので、レベル検知手段による検知がデジタル的におこなうことができる。
また請求項６では、２値化変換手段は、集音手段により入力された入力音を特定の周波数により検波する検波手段を備えたので、正規の入力音以外のノイズを除去することができると共に、同調周波数を変えることにより入力音の種類を変更することができる。
【発明を実施するための最良の形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の実施形態に係るデジタルカラー複合機１を含むシステム構成図である。図１に示すように、本実施の形態においては、デジタルカラー複合機１に通信ネットワークであるＬＡＮ（Local Area Network）２を介し、各種の情報処理を実行する情報処理装置であるサーバコンピュータや複数台のクライアントコンピュータが接続されたシステムを想定する。サーバコンピュータは、例えばＦＴＰ、ＨＴＴＰプロトコルをサポートしたり、ＷｅｂサーバやＤＮＳ（ドメインネームサーバ）の機能を実現するものである。すなわち、このシステムにおいては、デジタルカラー複合機１が備えている画像入力機能（スキャナ機能）、画像出力機能（プリント機能）及び画像蓄積機能等の画像処理機能を、ＬＡＮ２上でシェアし得る環境が構築されているものである。このようなシステムは、通信制御ユニットを介してインターネット網に接続され、インターネット網を介して外部環境とデータ通信可能に構築されている。通信制御ユニットとしては、ルータ、交換機、モデム、ＤＳＬモデム等が一般的であるが、最低限ＴＣＰ／ＩＰ通信が可能であれば良い。また、ＬＡＮ２は有線通信に限るものではなく、無線通信（赤外線や電波等）であっても良い。また、光ファイバーを用いたものであっても良い。
【０００８】
次に、デジタルカラー複合機１について説明する。デジタルカラー複合機１は、転写紙などの媒体に画像を形成する画像形成手段である印刷装置７の上部に、原稿から画像を読み取る画像読取手段である画像読取装置８を配設した構成とされている。また、画像読取装置８の装置外面には、オペレータに対する表示とオペレータからの機能設定等の各種の入力を許容する操作パネルＰが設けられている（詳細は後述する）。さらに、操作パネルＰの下部には、記憶媒体に記憶されているプログラムコードや画像データ等を読み取る、または記憶媒体に対してプログラムコードや画像データ等を書き込む装置である外部メディア入出力装置９が、記憶媒体の挿入を許容する挿入口を外部に露出させて設けられている。
このようなデジタルカラー複合機１のストラクチャとしては、画像処理ユニット部Ａと情報処理ユニット部Ｂとに大別されており、印刷装置７及び画像読取装置８は画像処理ユニット部Ａに属し、操作パネルＰ及び外部メディア入出力装置９は情報処理ユニット部Ｂに属している。
まず、画像処理ユニット部Ａについて説明する。印刷装置７及び画像読取装置８を備える画像処理ユニット部Ａは、画像処理ユニット部Ａにおける画像処理全般の制御を行う画像処理制御ユニット１０を備えており、この画像処理制御ユニット１０には、印刷装置７を制御する印刷制御ユニット１１と、画像読取装置８を制御する画像読取制御ユニット１２とが接続されている。
【０００９】
印刷制御ユニット１１は、画像処理制御ユニット１０の制御に従って印刷装置７に対して画像データを含む印刷指示を出力し、印刷装置７に転写紙などの媒体に画像を形成して出力させる。印刷装置７はフルカラー印刷可能とされており、その印刷方式は、電子写真方式のほか、インクジェット方式、昇華型熱転写方式、銀塩写真方式、直接感熱記録方式、溶融型熱転写方式など、さまざまな方式を用いることができる。
画像読取制御ユニット１２は、画像処理制御ユニット１０の制御により画像読取装置８を駆動し、原稿の表面に対するランプ照射の反射光をミラー及びレンズにより受光素子（例えば、ＣＣＤ）に集光して読み取り、Ａ／Ｄ変換してＲＧＢ各８ｂｉｔのデジタル画像データを生成する。
このような画像処理制御ユニット１０は、メインプロセッサであるＣＰＵ１３と、画像読取装置８から読み込んだ画像データを印刷装置７による作像に供すべく一旦格納しておくメモリデバイス（例えば、ＳＤＲＡＭ等）１４と、制御プログラム等を記憶したＲＯＭ１５と、システムログ／システム設定／ログ情報等を記録しておく電源ＯＦＦ時にもデータの保持が可能なＮＶＲＡＭ１６と、をバス接続したマイクロコンピュータ構成とされている。
また、画像処理制御ユニット１０には、多量の画像データの蓄積やジョブ履歴等の記憶装置となるＨＤＤ１７、装置内部に設けられた集線装置であるＨＵＢ１９を介して画像処理ユニット部ＡをＬＡＮ２に接続するためのＬＡＮ制御部１８、ＦＡＸ制御を行うＦＡＸ制御ユニット２０が接続されている。このＦＡＸ制御ユニット２０は、公衆電話網２１に通じる構内交換器（ＰＢＸ）２２に接続されており、デジタルカラー複合機１は、遠隔のファクシミリと交信することができる。
加えて、画像処理制御ユニット１０には、表示制御ユニット２３及び操作入力制御ユニット２４が接続されている。表示制御ユニット２３は、画像処理制御ユニット１０のコントロールによって制御パネルＩ／Ｆ２５に接続された通信ケーブル２６を介して情報処理ユニット部Ｂに対して画像表示制御信号を出力し、情報処理ユニット部Ｂの操作パネルＰに対して画像表示の制御を行う。また、操作入力制御ユニット２４は、情報処理ユニット部Ｂの操作パネルＰからのオペレータによる機能設定や入力操作に応じた入力制御信号を、画像処理制御ユニット１０のコントロールによって制御パネルＩ／Ｆ２５に接続された通信ケーブル２６を介して入力する。すなわち、画像処理ユニット部Ａは、情報処理ユニット部Ｂの操作パネルＰを通信ケーブル２６を介して直接モニタすることができる構成になっている。したがって、画像処理ユニット部Ａは、従来の画像処理装置が備える画像処理ユニットに対して通信ケーブル２６を接続し、情報処理ユニット部Ｂの操作パネルＰを利用するようにしたものである。すなわち、画像処理ユニット部Ａの表示制御ユニット２３及び操作入力制御ユニット２４は、操作パネルＰに接続されているものとして動作している。
【００１０】
このような構成により、画像処理ユニット部Ａは、外部からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをＬＡＮ制御部１８あるいはＦＡＸ制御ユニット２０を通じて受信し動作する。
また、画像処理ユニット部Ａは、ＳＤＲＡＭ１４やＨＤＤ１７に記憶されている印刷データ、原稿読取りデータ、これらを出力用に処理した出力画像データ、および、それらを圧縮した圧縮データを外部（サーバコンピュータ３、クライアントコンピュータ４、ファクシミリ等）に転送することができる。さらに、画像処理ユニット部Ａは、画像読取装置８の読取り画像データを画像処理制御ユニット１０に転送し、光学系及びデジタル信号への量子化に伴う信号劣化を補正し、該画像データをＳＤＲＡＭ１４に書込む。このようにしてＳＤＲＡＭ１４に格納された画像データは、印刷制御ユニット１１で出力画像データに変換されて、印刷装置７に出力される。
【００１１】
次に、操作パネルＰを備える情報処理ユニット部Ｂについて説明する。情報処理ユニット部Ｂは、一般にパーソナルコンピュータといわれるような情報処理装置に用いられる汎用のＯＳによって制御されるマイクロコンピュータ構成とされている。情報処理ユニット部Ｂは、メインプロセッサであるＣＰＵ３１を有しており、このＣＰＵ３１には、ＣＰＵ３１の作業用領域となるＲＡＭや起動プログラムなどを記憶した読出し専用メモリであるＲＯＭで構成されるメモリユニット３２と、ＯＳやアプリケーションプログラムを記憶するＨＤＤ等の記憶装置３４に対するデータの入出力を制御する記憶装置制御ユニット３５とが、バス接続されている。
また、ＣＰＵ３１には、情報処理ユニット部ＢをＨＵＢ１９を介してＬＡＮ２に接続するためのＬＡＮ制御部３３が接続されている。このＬＡＮ制御部３３に割り当てられるネットワークアドレスであるＩＰアドレスは、前述した画像処理ユニット部ＡのＬＡＮ制御部１８に割り当てられるＩＰアドレスとは異なるものである。すなわち、本実施の形態のデジタルカラー複合機１には、２つのＩＰアドレスが割り当てられていることになる。つまり、画像処理ユニット部Ａと情報処理ユニット部ＢとはＬＡＮ２に接続されていることになり、画像処理ユニット部Ａと情報処理ユニット部Ｂとの間においてはデータ交換が可能な構成になっている。なお、デジタルカラー複合機１はＨＵＢ１９を介してＬＡＮ２に接続されていることから、見かけ上は、１つのＩＰアドレスのみが割り当てられているように見える。したがって、美観を損ねることはなく、結線等の取り扱いを容易にすることが可能になっている。
さらに、ＣＰＵ３１には、操作パネルＰを制御する表示制御ユニット３６及び操作入力制御ユニット３７が接続されている。すなわち、表示制御ユニット３６は、画像表示制御信号を制御パネルＩ／Ｆ３８を介して表示装置４０に出力し、画像表示制御信号に応じた所定事項を表示装置４０に表示させる。一方、操作入力制御ユニット３７は、操作入力装置４１におけるオペレータによる機能設定や入力操作に応じた入力制御信号を、制御パネルＩ／Ｆ３８を介して受信する。
加えて、ＣＰＵ３１には、画像処理ユニット部Ａの制御パネルＩ／Ｆ２５と通信ケーブル２６を介して接続されている制御パネル通信ユニット３９が接続されている。制御パネル通信ユニット３９は、画像処理ユニット部Ａから出力された画像表示制御信号を受信し、また、操作パネルＰからのオペレータによる機能設定や入力操作に応じた入力制御信号を画像処理ユニット部Ａに転送する。なお、詳細は後述するが、制御パネル通信ユニット３９で受信した画像処理ユニット部Ａからの画像表示制御信号は操作パネルＰの表示装置４０用にデータ変換処理されてから表示制御ユニット３６に出力され、また、操作パネルＰからのオペレータによる機能設定や入力操作に応じた入力制御信号は画像処理ユニット部Ａでの仕様に応じた形式にデータ変換処理されてから制御パネル通信ユニット３９に入力される。
【００１２】
上述したように記憶装置３４には、ＣＰＵ３１が実行するＯＳやアプリケーションプログラムが格納されている。この意味で、記憶装置３４は、アプリケーションプログラムを記憶する記憶媒体として機能する。このデジタルカラー複合機１では、ユーザが電源を投入するとＣＰＵ３１がメモリユニット３２内の起動プログラムを起動させ、記憶装置３４よりＯＳをメモリユニット３２内のＲＡＭに読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。情報処理ユニット部ＢのＯＳは、情報処理装置（サーバコンピュータ３やクライアントコンピュータ４等）と同様のＯＳ、すなわち汎用のＯＳ（例えば、Ｗｉｎｄｏｗｓ（登録商標）等）とされている。
なお、前述したように、本実施の形態のデジタルカラー複合機１には、ＯＳ、デバイスドライバや各種アプリケーションプログラム等の各種のプログラムコード（制御プログラム）や画像データ等を記憶した記憶媒体Ｍ、すなわち、フレキシブルディスク、ハードディスク、光ディスク（ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ＋Ｒ、ＤＶＤ−ＲＷ、ＤＶＤ＋ＲＷなど）、光磁気ディスク（ＭＯ）、半導体メディアなどの記憶媒体Ｍに記憶されているプログラムコードや画像データ等を読み取る、または記憶媒体Ｍに対してプログラムコードや画像データ等を書き込む装置であるフレキシブルディスクドライブ装置、光ディスクドライブ装置、ＭＯドライブ装置、メディアドライブ装置等の外部メディア入出力装置９が搭載されている。このような外部メディア入出力装置９は、ＣＰＵ３１にバス接続されている入出力デバイス制御ユニット４２により制御される。
したがって、記憶装置３４に記憶されているアプリケーションプログラムは、この記憶媒体Ｍに記録されたアプリケーションプログラムがインストールされたものであっても良い。このため、記憶媒体Ｍも、アプリケーションプログラムを記憶する記憶媒体となり得る。さらには、アプリケーションプログラムは、例えばインターネット網６及びＬＡＮ２を介して外部から取り込まれ、記憶装置３４にインストールされても良い。なお、入出力デバイス制御ユニット４２には、ＵＳＢ、ＩＥＥＥ１３９４、ＳＣＳＩ等の各種インタフェース４３も接続されており、各種インタフェース４３を介して様々な機器（デジタルカメラ等）が接続可能である。
【００１３】
図２は操作部の外観構成図である。この操作部Ｐは、操作手順等を表示する表示部４０と、警告時に操作者に通報するブザー４８と、操作内容等を音声案内するスピーカ４９と、各種メディアを接続する各種メディアＩ／Ｆ４４と、表示部を切り替えるための入力音を集音するマイク５０と、を備えて構成される。
図３はマイクから集音した入力音を２値化信号に変換する２値化回路の一例を示す図である。この２値化回路１００は、入力音６０を集音するマイク５０と、マイク５０のアナログ信号を増幅する増幅器６１と、増幅されたアナログ信号をデジタル信号の変換するＡ／Ｄ変換器６２と、Ａ／Ｄ変換器６２により変換されたデジタル信号をスレッシュ信号６３により２値化信号に変換する変換回路６４と、を備えて構成される。この２値化回路１００は、マイク５０から集オンされた音を増幅器６０で増幅する。その信号はＡ／Ｄ変換器６２に入力されると、例えば、２５６レベルのデジタル信号に変換するために、入力されたアナログ信号のレベルに応じてデジタル化された信号Ｓａｄが出力される。その信号Ｓａｄは、正規の入力音とノイズとを識別するために所定のスレッシュレベル６３以上の信号だけを変換回路６４により変換して２値化信号Ｓｎとして出力する。
図４はマイクから集音した入力音を２値化信号に変換する他の２値化回路の一例を示す図である。この２値化回路１１０は、入力音６０を集音するマイク５０と、マイク５０のアナログ信号を増幅する増幅器６１と、増幅されたアナログ信号を同調周波数ｆ０により検波する検波回路６５と、を備えて構成される。この２値化回路１１０は、マイク５０から集オンされた音を増幅器６０で増幅する。その信号は検波回路６５に入力されると、例えば、同調周波数ｆ０の信号が入力されると２値化信号Ｓｎとして出力する。従って、同調周波数ｆ０と異なる周波数が入力されても２値化信号Ｓｎとして出力しない。
【００１４】
図５は２値化信号のパターンを検知する回路構成を示す図である。このパターン検知回路１２０は内部は図示しないが、一定の時間間隔内に２値化信号Ｓｎが存在し、且つ２値化信号Ｓｎの数が所定数に合致したとき所定のパターンであると判断する構成であれば、どのような構成でも構わない。
図６は２値化信号のパターンを検知する他の回路構成を示す図である。このパターン検知回路１３０は、図３又は図４の２値化変換回路により変換された２値化信号Ｓｎが入力されると、所定の時間２値化信号Ｓｎを計数することを許可するゲート信号Ｓｇを発生するゲート信号発生回路（ゲート信号発生手段）６７と、２値化信号Ｓｎとゲート信号Ｓｇの論理積をとるＡＮＤ回路６８と、ＡＮＤ回路６８の出力信号Ｓａｎｄを計数するカウンタ（計数手段）６９と、を備えて構成される。このパターン検知回路１３０は、２値化信号Ｓｎに同期してゲート信号発生回路６７からゲート信号Ｓｇが発生する。そのゲート信号ＳｇはＡＮＤ回路６８の一方の入力となる。従って、ゲート信号Ｓｇがハイレベルの間に２値化信号ＳｎはＡＮＤ回路６８を通過してカウンタ６９に入力される。
図７は図３の２値化変換回路の動作を説明するタイミングチャートである。上から入力音６０、ＡＤ変換波形Ｓａｄ、２値化信号Ｓｎを表している。例えば入力音６０をＳ１、Ｓ２、Ｓ３とし、それに対応するＡＤ変換波形ＳａｄをＳａ１、Ｓａ２、Ｓａ３として、そのスレッシュレベル６３を図のように設定したとする。Ｓａ１、Ｓａ２、Ｓａ３が実線のレベルとすると、全てがスレッシュレベル６３を超えているので、２値化信号Ｓｎは図のようにＳ１、Ｓ２、Ｓ３となる。ここで例えばＳａ１のレベルが点線のｌ２であるとすると、２値化信号Ｓｎは信号Ｓ１は出力されなくなる。
【００１５】
図８は本発明の第１の実施形態のパターン検知回路の動作が成功した場合を説明するタイミングチャートである。上から２値化信号Ｓｎ、Ｓ１によるパターン検知、Ｓ２によるパターン検知、Ｓ３によるパターン検知、Ｓ４によるパターン検知、パターン検知結果、カウンタ値を表している。そして各２値化信号Ｓｎの発生するタイミングがｔ１、ｔ２、ｔ３、ｔ４とそれぞれ異なるタイミングで発生されるものとする。またＳ１からＳ４のパターン検知の時間設定を図のように各２値化信号Ｓｎの立ち上がりから最小ｔｍｉｎ、最大ｔｍａｘとして予め設定しておく。例えば、この図では２値化信号Ｓ１が発生すると、Ｓ１によるパターン検知として時間ｔｍｉｎでハイレベルとなり時間ｔｍａｘでローレベルとなる波形Ｓ１Ｐが発生し、２値化信号Ｓ２をゲートする。図から解るとおり、波形Ｓ１Ｐにより２値化信号Ｓ２がゲートされてパターン検知結果としてＳ１ＰＧが出力される。このとき図示しないカウンタにより２値化信号Ｓ１を「１」としてカウントし、Ｓ１ＰＧを「２」としてカウントする。以下同様にしてカウンタを「５」までカウントしていき、予め設定値を「５」と設定していた場合は、この時点で白黒画面表示に切り換えるように指示する。
図９は本発明の第１の実施形態のパターン検知回路の動作が失敗した場合を説明するタイミングチャートである。上から２値化信号Ｓｎ、Ｓ１によるパターン検知、Ｓ２によるパターン検知、Ｓ３によるパターン検知、パターン検知結果、カウンタ値を表している。そして各２値化信号Ｓｎの発生するタイミングがｔ１、ｔ２、ｔ３とそれぞれ異なるタイミングで発生されるものとする。またＳ１からＳ４のパターン検知の時間設定を図のように各２値化信号Ｓｎの立ち上がりから最小ｔｍｉｎ、最大ｔｍａｘとして予め設定しておく。例えば、この図では２値化信号Ｓ１が発生すると、Ｓ１によるパターン検知として時間ｔｍｉｎでハイレベルとなり時間ｔｍａｘでローレベルとなる波形Ｓ１Ｐが発生し、２値化信号Ｓ２をゲートする。図から解るとおり、波形Ｓ１Ｐにより２値化信号Ｓ２がゲートされてパターン検知結果としてＳ１ＰＧが出力される。このとき図示しないカウンタにより２値化信号Ｓ１を「１」としてカウントし、Ｓ１ＰＧを「２」としてカウントする。次に２値化信号Ｓ２が所定の時間を超過してｔ２後に２値化信号Ｓ３が発生したとする。すると、２値化信号Ｓ２の立ち上がりで発生したＳＰ２により本来２値化信号Ｓ３がゲートされてＳ２ＰＧを発生するはずであるが、２値化信号Ｓ３が所定の時間を超過して発生されたため、ゲートされずにカウンタでカウント「３」をカウントしなくなる。これにより白黒画面表示に切り換える指示を出さないようにする。
【００１６】
図１０（ａ）は本発明の第２の実施形態のパターン検知回路の動作が成功した場合を説明するタイミングチャートである。上から２値化信号Ｓｎ、ゲート信号Ｓｇ、ＡＮＤ回路出力Ｓａｎｄ、カウンタ値を表している。そして各２値化信号Ｓｎの発生するタイミングがｔ１、ｔ２、ｔ３、ｔ４、ｔ５はそれぞれ異なるタイミングで発生されるものとする。またゲート信号Ｓｇの時間を予めｔ０に設定しておく。例えば、この図では２値化信号Ｓ１が発生すると、ゲート信号Ｓｇが発生し、この信号がハイレベルの間にある２値化信号Ｓ１、Ｓ２、Ｓ３、Ｓ４、Ｓ５がＡＮＤ回路出力Ｓａｎｄから出力される。これをカウンタ６９がカウントしてカウント値が「５」となり、予め設定値を「５」と設定していた場合は一致するので、この時点で白黒画面表示に切り換えるように指示する。
図１０（ｂ）は本発明の第２の実施形態のパターン検知回路の動作が失敗した場合を説明するタイミングチャートである。上から２値化信号Ｓｎ、ゲート信号Ｓｇ、ＡＮＤ回路出力Ｓａｎｄ、カウンタ値を表している。そして各２値化信号Ｓｎの発生するタイミングがｔ１、ｔ２、ｔ３はそれぞれ異なるタイミングで発生されるものとする。またゲート信号Ｓｇの時間を予めｔ０に設定しておく。例えば、この図では２値化信号Ｓ１が発生すると、ゲート信号Ｓｇが発生し、この信号がハイレベルの間にある２値化信号Ｓ１、Ｓ２、Ｓ３、Ｓ４がＡＮＤ回路出力Ｓａｎｄから出力される。これをカウンタ６９がカウントしてカウント値が「４」となり、予め設定値を「５」と設定していた場合は不一致となり、この時点で白黒画面表示に切り換える指示を出さないようにする。
【００１７】
図１１は本発明の第１の実施形態のパターン検知回路の動作を説明するフローチャートである。ここでは２値化回路にＡ／Ｄ変換器を使用した場合について説明する。通常は操作部の画面は入力待ち状態の初期画面である（Ｓ１）。ここで操作者によりタッチパネル又はキー入力があると（Ｓ２でＹＥＳのルート）操作部の画面は通常のカラー画面表示となり（Ｓ３）、その後、操作者による操作が行なわれる（Ｓ４）。一方ステップＳ２でタッチパネル又はキー入力がなく（Ｓ２でＮＯのルート）、操作部のマイク５０から入力音があり（Ｓ５でＹＥＳのルート）、Ａ／Ｄ変換器６２により変換された信号が所定のレベルを超過して２値化信号Ｓｎとして発生するとパターン検出回路６６が２値化信号Ｓｎ（入力音）をカウントする（Ｓ６）。次に所定の時間間隔内に次の入力があるかをチエックし（Ｓ７）、あれば２値化信号Ｓｎ（入力音）をカウントアップして（Ｓ８）、カウント回数が所定の回数に合致するか否かをみる（Ｓ９）。ここで合致していなければステップＳ７に戻って繰り返す。ステップＳ９で合致していれば、操作部の表示画面を白黒画面に切り換えて（Ｓ１０）ステップＳ４に進む。尚、ステップＳ５、Ｓ７でＮＯの場合はステップＳ１に戻って繰り返す。
図１２は本発明の第２の実施形態のパターン検知回路の動作を説明するフローチャートである。ここでは２値化回路にＡ／Ｄ変換器を使用した場合について説明する。通常は操作部の画面は入力待ち状態の初期画面である（Ｓ２１）。ここで操作者によりタッチパネル又はキー入力があると（Ｓ２２でＹＥＳのルート）操作部の画面は通常のカラー画面表示となり（Ｓ２３）、その後、操作者による操作が行なわれる（Ｓ２４）。一方ステップＳ２２でタッチパネル又はキー入力がなく（Ｓ２２でＮＯのルート）、操作部のマイク５０から入力音があり（Ｓ２５でＹＥＳのルート）、Ａ／Ｄ変換器６２により変換された信号が所定のレベルを超過して２値化信号Ｓｎとして発生すると、ゲート信号発生回路６７からゲート信号Ｓｇを発生し（Ｓ２６）、ゲート信号Ｓｇと２値化信号ＳｎをＡＮＤ回路６８により論理積をとり、その出力信号をカウンタ６９によりカウントする（Ｓ２７）。そして所定の時間が経過すると（Ｓ２８でＹＥＳのルート）ゲート信号Ｓｇをローレベルにしてカウントを停止し、その結果が所定の回数と合致するか否かをチエックする（Ｓ２９）。ステップＳ２９で合致していれば、操作部の表示画面を白黒画面に切り換えて（Ｓ３０）ステップＳ２４に進む。尚、ステップＳ２５、Ｓ２９でＮＯの場合はステップＳ２１に戻って繰り返す。
【００１８】
以上の通り本発明によれば、２値化変換回路１００、１１０により変換された２値化信号Ｓｎのパターンがパターン検知回路６５により合致することを検知すると、操作手順を表示する表示部の表示色を白黒画面表示に切り換えるので、正しい入力音と周辺のノイズを識別することができ、且つパターンを予め特定の操作者のみに知らせておくことにより、いたずらによる操作を防止することができる。
また、パターン検知回路６５は、一定の時間間隔内に２値化変換回路１００、１１０により変換された２値化信号Ｓｎが存在し、且つ当該２値化信号Ｓｎの数が所定数に合致したとき所定のパターンと判断するので、正しい入力音と周辺のノイズを識別することができ、且つパターンを予め特定の操作者のみに知らせておくことにより、いたずらによる操作を防止することができる。
また、カウンタ６９により計数された２値化信号Ｓｎの数が所定数に達したことを検知すると、操作手順を表示する表示部の表示色を白黒画面表示に切り換えるので、簡単な回路構成である程度ノイズと信号を識別することができ、且つパターンの識別率を高めることができる。
また、カウンタ６９は、所定の時間２値化信号Ｓｎを計数することを許可するゲート信号Ｓｇを発生するゲート信号発生回路６７を備え、ゲート信号発生回路６７により発生されたゲート信号Ｓｇと２値化信号Ｓｎとの論理積の結果を計数するので、簡単な回路構成によりある程度冗長性を備えたパターン検知を行なうことができる。
また、２値化信号Ｓｎは、マイク５０により入力された入力音をＡ／Ｄ変換するＡ／Ｄ変換回路６２と、Ａ／Ｄ変換回路６２により変換されたデジタル信号Ｓａｄが所定のレベル以上であることを検知するレベル検知手段と、を備えたので、入力音の音量に応じてデジタル信号Ｓａｄのレベルが変化するので、レベル検知手段による検知がデジタル的におこなうことができる。
また、２値化信号Ｓｎは、マイク５０により入力された入力音を特定の周波数により検波する検波回路６５を備えたので、正規の入力音以外のノイズを除去することができると共に、同調周波数ｆ０を変えることにより入力音の種類を変更することができる。
【図面の簡単な説明】
【００１９】
【図１】本発明の実施形態に係るデジタルカラー複合機１を含むシステム構成図である。
【図２】操作部の外観構成図である。
【図３】マイクから集音した入力音を２値化信号に変換する２値化回路の一例を示す図である。
【図４】マイクから集音した入力音を２値化信号に変換する他の２値化回路の一例を示す図である。
【図５】２値化信号のパターンを検知する回路構成を示す図である。
【図６】２値化信号のパターンを検知する他の回路構成を示す図である。
【図７】図３の２値化変換回路の動作を説明するタイミングチャートである。
【図８】本発明の第１の実施形態のパターン検知回路の動作が成功した場合を説明するタイミングチャートである。
【図９】本発明の第１の実施形態のパターン検知回路がの動作が失敗した場合を説明するタイミングチャートである。
【図１０】（ａ）は第２の実施形態のパターン検知回路の動作が成功した場合を説明するタイミングチャート、（ｂ）は第２の実施形態のパターン検知回路の動作が失敗した場合を説明するタイミングチャートである。
【図１１】本発明の第１の実施形態のパターン検知回路の動作を説明するフローチャートである。
【図１２】本発明の第２の実施形態のパターン検知回路の動作を説明するフローチャートである。
【符号の説明】
【００２０】
５０  マイク、６０  入力音、６１、６２  Ａ／Ｄ変換器、６３  スレッシュ信号、６４  変換回路、６５  検波回路、６７  ゲート信号発生回路、６８  ＡＮＤ回路、６９  カウンタ、１００  ２値化回路、１１０  ２値化回路、１２０  パターン検知回路、１３０  パターン検知回路
【図１】
2007081476.tif 000003
【図２】
2007081476.tif 000004
【図３】
2007081476.tif 000005
【図４】
2007081476.tif 000006
【図５】
2007081476.tif 000007
【図６】
2007081476.tif 000008
【図７】
2007081476.tif 000009
【図８】
2007081476.tif 000010
【図９】
2007081476.tif 000011
【図１０】
2007081476.tif 000012
【図１１】
2007081476.tif 000013
【図１２】
2007081476.tif 000014